(57)【要約】      （修正有）【課題】検出面に接触した状態で静電容量と電磁信号を授受する第１指示体の位置、及び検出面に接触する第２指示体の位置を同時に検出し、タッチパネルの描画品質を向上するタッチパネルコントローラを提供する。【解決手段】タッチパネルコントローラ１は、タッチパネル３の検出面に同時に接触するアクティブペンａｐ１と指ｆ１のそれぞれの位置を検出する。第１センスラインは、アクティブペンａｐ１が接触した状態で静電容量ｃ１と電磁信号を授受して、アクティブペンａｐ１の位置を検出する。第２センスラインは、指ｆ１の位置を検出する。タッチパネルコントローラ１の処理回路２０は、第１センスライン、第２センスラインのそれぞれから出力される信号に対して互いに異なる処理を行う。【選択図】図１
2019067300.tif 000002
【特許請求の範囲】
【請求項１】
検出面に沿って互いに平行に設けられる複数のセンスラインと、前記センスラインと交差すると共に前記検出面に沿って互いに平行に設けられる複数のドライブラインと、前記センスラインと前記ドライブラインとの交点にそれぞれ形成された複数の静電容量と、を備えるタッチパネルを制御するタッチパネルコントローラにおいて、
前記センスラインのうち、前記検出面に接触した状態で前記静電容量と電磁信号を授受する第１指示体の位置を検出するための第１センスライン、及び前記センスラインのうち、前記検出面に、前記第１指示体と同時に接触する第２指示体の位置を検出するための第２センスラインのそれぞれから出力される信号に対して互いに異なる処理を行う処理回路を備えることを特徴とするタッチパネルコントローラ。
【請求項２】
前記処理回路は、前記第１センスラインから出力される前記第１指示体の位置を示す第１センス信号と、前記第２センスラインから出力される前記第２指示体の位置を示す第２センス信号とを同時に検出することを特徴とする請求項１に記載のタッチパネルコントローラ。
【請求項３】
前記処理回路は、
前記第１センスラインに接続されており、前記第１センスラインから出力される前記第２センス信号を遮断する第１フィルタ回路と、
前記第２センスラインに接続されており、前記第２センスラインから出力される前記第１センス信号を遮断する第２フィルタ回路とを有することを特徴とする請求項２に記載のタッチパネルコントローラ。
【請求項４】
前記処理回路は、複数の前記センスラインの各々と、前記第１フィルタ回路及び前記第２フィルタ回路のうちいずれかとを接続することを特徴とする請求項３に記載のタッチパネルコントローラ。
【請求項５】
前記処理回路は、前記第１指示体から送信された前記電磁信号のキャリア周波数と同一の周波数で共振する共振回路を有することを特徴とする請求項１から４のいずれか１項に記載のタッチパネルコントローラ。
【請求項６】
請求項１から５のいずれか１項に記載のタッチパネルコントローラと、
前記タッチパネルコントローラによって制御されるタッチパネルとを備えることを特徴とするタッチパネルシステム。
【発明の詳細な説明】
【技術分野】
【０００１】
本発明はタッチパネルコントローラ及びタッチパネルシステムに関する。
【背景技術】
【０００２】
現在、静電容量式のタッチパネルシステムが、スマートフォン等の携帯情報機器、及び自動券売機等の自動販売機のような様々な電子機器に急速に搭載され始めている。また、静電容量式のタッチパネルシステムは、電子黒板等の大型の機器にも搭載され始めており、ＩＷＢ（Interactive White Board）として用いられ始めている。
【０００３】
特許文献１に開示されているタッチパネル装置は、受信電極の出力信号を処理して検出データを出力する受信信号処理部を備える。また、上記タッチパネル装置は、受信信号処理部から出力される検出データをラインごとに別々に蓄積する奇数ラインのデータ蓄積部及び偶数ラインのデータ蓄積部を備える。
【０００４】
さらに、上記タッチパネル装置は、奇数ラインのデータ蓄積部及び偶数ラインのデータ蓄積部の出力を交互に選択するセレクタをさらに備える。上記タッチパネル装置では、奇数ラインのデータ蓄積部及び偶数ラインのデータ蓄積部の一方が検出データの書き込みを行っている間に他方が読み出しを行う。
【先行技術文献】
【特許文献】
【０００５】
【特許文献１】特開２０１１−２５８１４３号公報（２０１１年１２月２２日公開）
【発明の概要】
【発明が解決しようとする課題】
【０００６】
特許文献１に開示されているタッチパネル装置では、アクティブペンによるタッチとパッシブタッチとを同時に検出することは想定されていない。アクティブペンとは、タッチパネルの検出面に接触した状態で、タッチパネル上の静電容量と電磁信号を授受するペンである。パッシブタッチとは、タッチパネルの検出面に接触する指示体によるタッチであり、その指示体は、タッチパネルの検出面に接触した状態で、タッチパネル上の静電容量と電磁信号を授受しないものである。
【０００７】
また、上記タッチパネル装置では、奇数ラインのデータ蓄積部及び偶数ラインのデータ蓄積部の一方が検出データの書き込みを行っている間に他方が読み出しを行う。このため、上記タッチパネル装置では、単位時間内に読み出しを行う回数が少なくなるので、タッチパネルの検出回数が少なくなる。よって、上記タッチパネル装置では、タッチパネルの描画品質が低下するという問題がある。
【０００８】
本発明の一態様は、検出面に接触した状態で静電容量と電磁信号を授受する第１指示体の位置、及び検出面に接触する第２指示体の位置を同時に検出し、タッチパネルの描画品質を向上させることを目的とする。
【課題を解決するための手段】
【０００９】
上記の課題を解決するために、本発明の一態様に係るタッチパネルコントローラは、検出面に沿って互いに平行に設けられる複数のセンスラインと、前記センスラインと交差すると共に前記検出面に沿って互いに平行に設けられる複数のドライブラインと、前記センスラインと前記ドライブラインとの交点にそれぞれ形成された複数の静電容量と、を備えるタッチパネルを制御するタッチパネルコントローラにおいて、前記センスラインのうち、前記検出面に接触した状態で前記静電容量と電磁信号を授受する第１指示体の位置を検出するための第１センスライン、及び前記センスラインのうち、前記検出面に、前記第１指示体と同時に接触する第２指示体の位置を検出するための第２センスラインのそれぞれから出力される信号に対して互いに異なる処理を行う処理回路を備える。
【発明の効果】
【００１０】
本発明の一態様によれば、検出面に接触した状態で静電容量と電磁信号を授受する第１指示体の位置、及び検出面に接触する第２指示体の位置を同時に検出し、タッチパネルの描画品質を向上させることができる。
【図面の簡単な説明】
【００１１】
【図１】本発明の実施形態１に係るタッチパネルシステムの構成を示す構成図である。
【図２】図１に示すタッチパネルシステムの処理回路の構成を示す構成図である。
【図３】（ａ）は従来のタッチパネルシステムの検出処理の内容を示す模式図であり、（ｂ）は本発明の一態様に係るタッチパネルシステムの検出処理の内容を示す模式図である。
【図４】図１に示すタッチパネルシステムの変形例であるタッチパネルシステムのタッチパネルが有するセンサシートを示す模式図である。（ａ）は第１指示体用のセンサシートを示す模式図であり、（ｂ）は第２指示体用のセンサシートを示す模式図である。（ｃ）は第１指示体用のセンサシートと第２指示体用のセンサシートとが重なっている状態を示す図であり、（ｄ）は（ｃ）のＡ１で示す部分の拡大図である。
【図５】本発明の実施形態２に係るタッチパネルシステムの構成を示す構成図である。
【図６】図５に示すタッチパネルシステムの処理回路の構成を示す構成図である。
【図７】本発明の実施形態３に係るタッチパネルシステムの構成を示す構成図である。
【図８】図７に示すタッチパネルシステムの処理回路の構成を示す構成図である。
【図９】本発明の実施形態４に係るタッチパネルシステムの処理回路の構成を示す構成図である。
【発明を実施するための形態】
【００１２】
〔実施形態１〕
（タッチパネルシステム１００の構成）
図１は、本発明の実施形態１に係るタッチパネルシステム１００の構成を示す構成図である。タッチパネルシステム１００は、図１に示すように、タッチパネルコントローラ１、外部制御部２、及びタッチパネル３を備えている。なお、タッチパネルシステム１００を備えた電子機器についても、本実施形態の範疇に入る。
【００１３】
タッチパネルコントローラ１は、タッチパネル制御回路１０、処理回路２０、センスライン選択回路３０、及びドライブライン選択回路４０を備えている。タッチパネルコントローラ１は、タッチパネル３を制御する。
【００１４】
なお、ここでは、タッチパネルコントローラ１は、１つのコントローラで構成されているが、複数のコントローラで構成されていてもよい。例えば、一方のコントローラがタッチパネル制御回路１０及び処理回路２０を備えており、他方のコントローラがセンスライン選択回路３０及びドライブライン選択回路４０を備えていてもよい。また、一方のコントローラが第１処理回路２０ｂを有する処理回路を備えており、他方のコントローラが第２処理回路２０ｃを有する処理回路を備えていてもよい。
【００１５】
図２は、タッチパネルシステム１００の処理回路２０の構成を示す構成図である。処理回路２０は、図２に示すように、信号選択回路２０ａ、第１処理回路２０ｂ、及び第２処理回路２０ｃを備えている。第１処理回路２０ｂは、第１アナログフィルタ回路１１０（第１フィルタ回路）、センスアンプ１２０、ＡＤコンバータ１３０、アクティブ信号送信回路１４０、第１ディジタルフィルタ回路１５０、アクティブ信号受信回路１６０、及び第１制御回路１７０を備えている。第２処理回路２０ｃは、第２アナログフィルタ回路２１０（第２フィルタ回路）、センスアンプ２２０、容量検出回路２３０、ＡＤコンバータ２４０、ドライバ回路２５０、第２ディジタルフィルタ回路２６０、及び第２制御回路２７０を備えている。
【００１６】
第１アナログフィルタ回路１１０、第１ディジタルフィルタ回路１５０、第２アナログフィルタ回路２１０、及び第２ディジタルフィルタ回路２６０は、ローパス特性、ハイパス特性、及びバンドパス特性を有している。
【００１７】
タッチパネル３は、複数のセンスラインＸ０〜Ｘｍ−１、複数のドライブラインＹ０〜Ｙｎ−１、及び複数の静電容量ｃ１を備えている。複数のセンスラインＸ０〜Ｘｍ−１は、タッチパネル３の検出面に沿って互いに平行に設けられる。複数のドライブラインＹ０〜Ｙｎ−１はそれぞれ、複数のセンスラインＸ０〜Ｘｍ−１と交差すると共にタッチパネル３の検出面に沿って互いに平行に設けられる。
【００１８】
複数の静電容量ｃ１は、複数のセンスラインＸ０〜Ｘｍ−１と複数のドライブラインＹ０〜Ｙｎ−１との交点にそれぞれ形成されている。タッチパネル３は、例えば、ＬＣＤ（Liquid Crystal Display）であってもよい。なお、複数のセンスラインＸ０〜Ｘｍ−１及び複数のドライブラインＹ０〜Ｙｎ−１は、タッチパネル３が有するセンサシート（図示せず）に設けられていてもよい。
【００１９】
外部制御部２は、例えば、ＵＳＢ（登録商標）（Universal Serial Bus）ケーブルまたはＩ２Ｃ（Inter-Integrated Circuit）を介してタッチパネル制御回路１０に、設定情報を供給する。この設定情報とは、ユーザにより外部制御部２で設定された情報である。また、この設定情報は、複数のセンスラインＸ０〜Ｘｍ−１のうちの第１センスライン及び第２センスラインを特定する情報であり、かつ、複数のドライブラインＹ０〜Ｙｎ−１のうちの第１ドライブライン及び第２ドライブラインを特定する情報である。
【００２０】
つまり、ユーザは外部制御部２を用いて、複数のセンスラインＸ０〜Ｘｍ−１のうちの第１センスライン及び第２センスラインを設定することができる。また、ユーザは外部制御部２を用いて、複数のドライブラインＹ０〜Ｙｎ−１のうちの第１ドライブライン及び第２ドライブラインを設定することができる。
【００２１】
第１センスラインとは、タッチパネル３の検出面に接触した状態で静電容量ｃ１と電磁信号を授受する第１指示体の位置を検出するためのセンスラインである。第２センスラインとは、タッチパネル３の検出面に、第１指示体と同時に接触する第２指示体の位置を検出するためのセンスラインである。第１指示体と第２指示体とが同時に接触することとは、第１指示体がタッチパネル３の検出面に接触する時間と、第２指示体がタッチパネル３の検出面に接触する時間とが重なっていることである。第１ドライブラインとは、第１指示体の位置を検出するためのドライブラインである。第２ドライブラインとは、第２指示体の位置を検出するためのドライブラインである。
【００２２】
例えば、ユーザは、複数のセンスラインＸ０〜Ｘｍ−１のうち、偶数番目のセンスラインＸ０、Ｘ２、Ｘ４、Ｘ６、・・・を第１センスラインに設定してもよい。偶数番目のセンスラインが第１センスラインに設定されたとき、ユーザは、偶数番目のドライブラインＹ０、Ｙ２、Ｙ４、Ｙ６、・・・を第１ドライブラインに設定してもよい。
【００２３】
また、第１センスライン及び第１ドライブラインが設定された後、例えば、ユーザは、複数のセンスラインＸ０〜Ｘｍ−１のうち、奇数番目のセンスラインＸ１、Ｘ３、Ｘ５、Ｘ７、・・・を第２センスラインに設定してもよい。奇数番目のセンスラインが第２センスラインに設定されたとき、ユーザは、奇数番目のドライブラインＹ１、Ｙ３、Ｙ５、Ｙ７、・・・を第２ドライブラインに設定してもよい。
【００２４】
第１指示体は、タッチパネル３の検出面に接触した状態で静電容量ｃ１と電磁信号を授受する指示体であれば、特に限定されないが、第１指示体として、例えば、アクティブペンが挙げられる。一般的に、アクティブペンが送信する電磁信号は、周波数成分を有するキャリア信号である。また、第２指示体は、タッチパネル３の検出面に接触する指示体であり、タッチパネル３の検出面に接触した状態で静電容量ｃ１と電磁信号を授受しないものであれば、特に限定されない。第２指示体として、例えば、指及びペンが挙げられる。
【００２５】
外部制御部２は、ユーザにより設定情報を設定することが可能であるものであれば、特に限定されないが、外部制御部２として、例えば、パソコン及び携帯情報端末が挙げられる。
【００２６】
タッチパネル制御回路１０は、外部制御部２から供給された設定情報を信号選択回路２０ａに供給する。タッチパネル制御回路１０は、信号選択回路２０ａと電気的に接続されている。
【００２７】
信号選択回路２０ａは、タッチパネル制御回路１０から供給された設定情報をメモリ（図示せず）に記憶する。このメモリは信号選択回路２０ａに内蔵されていてもよいが、このメモリが設置される場所は特に限定されない。
【００２８】
センスライン選択回路３０は、複数のセンスラインＸ０〜Ｘｍ−１と接続されており、複数のセンスラインＸ０〜Ｘｍ−１の中から少なくとも１本のセンスラインを選択する。つまり、センスライン選択回路３０は、複数のセンスラインを同時に選択することができる。
【００２９】
ドライブライン選択回路４０は、複数のドライブラインＹ０〜Ｙｎ−１と接続されており、複数のドライブラインＹ０〜Ｙｎ−１の中から少なくとも１本のドライブラインを選択する。つまり、ドライブライン選択回路４０は、複数のドライブラインを同時に選択することができる。
【００３０】
信号選択回路２０ａは、タッチパネル制御回路１０、センスライン選択回路３０、及びドライブライン選択回路４０と接続されている。信号選択回路２０ａは、メモリに記憶された設定情報に基づいて、センスライン選択回路３０を介して、第１センスラインと第１アナログフィルタ回路１１０とを接続し、第２センスラインと第２アナログフィルタ回路２１０とを接続する。
【００３１】
また、信号選択回路２０ａは、メモリに記憶された設定情報に基づいて、ドライブライン選択回路４０を介して、第１ドライブラインとアクティブ信号送信回路１４０とを接続し、第２ドライブラインとドライバ回路２５０とを接続する。よって、信号選択回路２０ａは、複数のセンスラインＸ０〜Ｘｍ−１の各々と、第１アナログフィルタ回路１１０及び第２アナログフィルタ回路２１０のうちいずれかと接続する。
【００３２】
なお、信号選択回路２０ａにおいて、複数のセンスラインＸ０〜Ｘｍ−１の各々と、第１アナログフィルタ回路１１０及び第２アナログフィルタ回路２１０のうちいずれかとの接続は、外部制御部２の操作によるスイッチングにより行われてもよい。さらに、信号選択回路２０ａにおいて、複数のドライブラインＹ０〜Ｙｎ−１の各々と、アクティブ信号送信回路１４０及びドライバ回路２５０のうちいずれかとの接続は、外部制御部２の操作によるスイッチングにより行われてもよい。これにより、例えば、複数のセンスラインＸ０〜Ｘｍ−１全てを第１処理回路２０ｂに接続させたり、複数のセンスラインＸ０〜Ｘｍ−１全てを第２処理回路２０ｃに接続させたりすることができる。
【００３３】
アクティブ信号送信回路１４０は、信号選択回路２０ａ及びドライブライン選択回路４０を介して、全ての第１ドライブラインに周波数成分を有する電磁信号を送信させる。第１ドライブラインは静電容量ｃ１を介して、タッチパネル３の外部に電磁信号を送信する。
【００３４】
ドライバ回路２５０は、信号選択回路２０ａ及びドライブライン選択回路４０を介して、第２ドライブラインに駆動信号を送信する。センスライン選択回路３０は、複数のセンスラインＸ０〜Ｘｍ−１から出力されるセンス信号を、信号選択回路２０ａに供給する。
【００３５】
次に、図１に示すように、タッチパネル３の検出面にアクティブペンａｐ１及び指ｆ１が接触した場合について以下に説明する。タッチパネル３の検出面にアクティブペンａｐ１が接触すると、アクティブペンａｐ１は、静電容量ｃ１と電磁信号の授受を行う。
【００３６】
具体的には、アクティブペンａｐ１は、静電容量ｃ１を介して第１ドライブラインから電磁信号を受信すると、タッチパネル３の検出面に電磁信号（応答信号）を送信する。その電磁信号は、静電容量ｃ１を介して複数のセンスラインＸ０〜Ｘｍ−１に伝わる。複数のセンスラインＸ０〜Ｘｍ−１は、アクティブペンａｐ１から送信された電磁信号による静電容量ｃ１の容量値の変化量に基づくセンス信号を、センスライン選択回路３０を介して信号選択回路２０ａに供給する。
【００３７】
タッチパネル３の検出面に指ｆ１が接触すると、静電容量ｃ１の容量値が変化する。複数のセンスラインＸ０〜Ｘｍ−１は、指ｆ１の接触による静電容量ｃ１の容量値の変化量に基づくセンス信号を、センスライン選択回路３０を介して信号選択回路２０ａに供給する。
【００３８】
信号選択回路２０ａは、第１センスラインから出力されるセンス信号を第１アナログフィルタ回路１１０に供給し、第２センスラインから出力されるセンス信号を第２アナログフィルタ回路２１０に供給する。
【００３９】
（第１処理回路２０ｂの処理）
第１処理回路２０ｂは、第１センスラインから出力される第１指示体（ここではアクティブペンａｐ１）の位置を示す第１センス信号を検出するための回路である。第１アナログフィルタ回路１１０は、信号選択回路２０ａから供給されたセンス信号から、所定の第１周波数領域外の周波数成分を遮断する。所定の第１周波数領域とは、アクティブペンａｐ１の接触によって第１センスラインから出力される第１センス信号の周波数成分を示す周波数領域である。
【００４０】
換言すると、第１アナログフィルタ回路１１０は、第２指示体（ここでは指ｆ１）の接触によって第１センスラインから出力される第２センス信号、及びノイズ等の不要な周波数成分を遮断する。第１センス信号とは、アクティブペンａｐ１の位置を示すセンス信号であり、第２センス信号とは、指ｆ１の位置を示すセンス信号である。
【００４１】
また、第１アナログフィルタ回路１１０は、所定の第１周波数領域内の周波数成分である第１センス信号をセンスアンプ１２０に供給する。換言すると、第１アナログフィルタ回路１１０は、信号選択回路２０ａから供給された、アクティブペンａｐ１の接触によって第１センスラインから出力される第１センス信号をセンスアンプ１２０に供給する。
【００４２】
センスアンプ１２０は、第１アナログフィルタ回路１１０から供給された第１センス信号の振幅を増幅させ、振幅が増幅した第１センス信号をＡＤコンバータ１３０に供給する。ＡＤコンバータ１３０は、センスアンプ１２０から供給されたアナログデータの第１センス信号を、ディジタルデータの第１センス信号に変換する。ＡＤコンバータ１３０は、変換したディジタルデータの第１センス信号を第１ディジタルフィルタ回路１５０に供給する。
【００４３】
第１ディジタルフィルタ回路１５０は、ＡＤコンバータ１３０から供給されたディジタルデータの第１センス信号から、ノイズ等の不要な周波数成分を遮断する。第１ディジタルフィルタ回路１５０は、ノイズ等の不要な周波数成分を遮断した第１センス信号をアクティブ信号受信回路１６０に供給する。
【００４４】
アクティブ信号受信回路１６０は、第１ディジタルフィルタ回路１５０から供給され、かつ、ディジタル変調された第１センス信号を復調し、復調した第１センス信号を第１制御回路１７０に供給する。第１制御回路１７０は、アクティブ信号受信回路１６０から供給された第１センス信号に基づいて、アクティブペンａｐ１の位置、筆圧、及び色等の情報を認識し、アクティブペンａｐ１に関する情報をタッチパネル制御回路１０に供給する。
【００４５】
なお、アクティブペンａｐ１が行う電磁信号の授受については、下記に説明するように行われてもよい。アクティブペンａｐ１が、第１ドライブラインから電磁信号を受信すると、自身の位置の情報を伝えるための電磁信号を第１制御回路１７０に送信する。その後、第１制御回路１７０は、第１センス信号に基づいて、アクティブペンａｐ１の位置の情報を認識する。第１センス信号とは、第１センスラインがアクティブペンａｐ１から送信された電磁信号を受信することにより、第１センスラインが出力する信号である。
【００４６】
アクティブペンａｐ１の位置が認識されると、アクティブ信号送信回路１４０は、アクティブペンａｐ１が存在している座標近くの第１ドライブラインに電磁信号を送信させる。アクティブペンａｐ１は、第１ドライブラインから送信された電磁信号を受信すると、その電磁信号の命令に従って送信すべき情報を特定する。アクティブペンａｐ１は特定した情報を第１制御回路１７０に送信する。特定した情報とは、例えば、筆圧及び色等の情報である。アクティブペンａｐ１が特定した情報を第１制御回路１７０に送信した後、第１制御回路１７０は、第１センス信号に基づいて、筆圧及び色等の情報を認識する。
【００４７】
（第２処理回路２０ｃの処理）
第２処理回路２０ｃは、第２センスラインから出力される第２指示体（ここでは指ｆ１）の位置を示す第２センス信号を検出するための回路である。第２アナログフィルタ回路２１０は、信号選択回路２０ａから供給されたセンス信号から、所定の第２周波数領域外の周波数成分を遮断する。所定の第２周波数領域とは、指ｆ１の接触によって第２センスラインから出力される第２センス信号の周波数成分を示す周波数領域である。
【００４８】
換言すると、第２アナログフィルタ回路２１０は、アクティブペンａｐ１の接触によって第２センスラインから出力される第１センス信号、及びノイズ等の不要な周波数成分を遮断する。
【００４９】
また、第２アナログフィルタ回路２１０は、所定の第２周波数領域内の周波数成分をセンスアンプ２２０に供給する。換言すると、第２アナログフィルタ回路２１０は、信号選択回路２０ａから供給された、指ｆ１の接触によって第２センスラインから出力される第２センス信号をセンスアンプ２２０に供給する。
【００５０】
センスアンプ２２０は、第２アナログフィルタ回路２１０から供給された第２センス信号の振幅を増幅させ、振幅を増幅させた第２センス信号を容量検出回路２３０に供給する。容量検出回路２３０は、センスアンプ２２０から供給された第２センス信号に基づいて、静電容量ｃ１の容量値の変化量を検出する。容量検出回路２３０は、検出した静電容量ｃ１の容量値の変化量を、ＡＤコンバータ２４０に供給する。
【００５１】
なお、静電容量ｃ１の容量値の変化量を検出する方法については、複数のセンスラインＸ０〜Ｘｍ−１を１本ずつ駆動する方式（逐次駆動方式）であってもよく、複数のセンスラインＸ０〜Ｘｍ−１を同時に駆動する方式（並列駆動方式）であってもよい。
【００５２】
ＡＤコンバータ２４０は、容量検出回路２３０から供給されたアナログデータである静電容量ｃ１の容量値の変化量を、ディジタルデータである静電容量ｃ１の容量値の変化量に変換する。ＡＤコンバータ２４０は、変換したディジタルデータである静電容量ｃ１の容量値の変化量を第２ディジタルフィルタ回路２６０に供給する。
【００５３】
第２ディジタルフィルタ回路２６０は、ＡＤコンバータ２４０から供給されたディジタルデータである静電容量ｃ１の容量値の変化量から、ノイズ等の不要な周波数成分を遮断する。第２ディジタルフィルタ回路２６０は、ノイズ等の不要な周波数成分を遮断した静電容量ｃ１の容量値の変化量を、第２制御回路２７０に供給する。第２制御回路２７０は、第２ディジタルフィルタ回路２６０から供給された静電容量ｃ１の容量値の変化量に基づいて、指ｆ１の位置の情報を認識し、指ｆ１の位置情報をタッチパネル制御回路１０に供給する。
【００５４】
以上のように、処理回路２０は、第１処理回路２０ｂで第１センスラインから出力される信号に対して処理を行い、第２処理回路２０ｃで第２センスラインから出力される信号に対して処理を行う。換言すると、処理回路２０は、第１センスライン及び第２センスラインのそれぞれから出力される信号に対して互いに異なる処理を行う。
【００５５】
これにより、第１指示体のタッチと第２指示体のタッチとが同時に発生したとしても、第１指示体の位置と第２指示体の位置とを同時に検出することができる。これは、センサラン上に現れる第１指示体及び第２指示体のタッチによる２種類の信号を同時に検出しても、第１指示体のタッチと第２指示体のタッチによるセンス信号が互いに干渉することがないからである。
【００５６】
よって、検出面に接触した状態で静電容量と電磁信号を授受する第１指示体の位置、及び検出面に接触する第２指示体の位置を同時に検出し、タッチパネル３の描画品質を向上させることができる。
【００５７】
また、処理回路２０は、第１処理回路２０ｂで第１センスラインから出力される第１指示体の位置を示す第１センス信号を検出し、第２処理回路２０ｃで第２センスラインから出力される第２指示体の位置を示す第２センス信号を検出する。換言すると、処理回路２０は、第１センスラインから出力される第１指示体の位置を示す第１センス信号と第２センスラインから出力される第２指示体の位置を示す第２センス信号とを同時に検出する。
【００５８】
これにより、レポートレートが上がり、描画時においてタッチパネル３の検出面上での検出数が多くなる。つまり、例えば、タッチパネル３の検出面上で線を描画する場合、タッチパネル３の表示において線が途切れにくくなり、表示の滑らかさを維持することができる。時定数の大きなセンサシートを駆動する場合であっても、レポートレートに余裕があるので、センサシートの時定数に応じてスキャン時間を延ばしてもタッチパネル３の描画品質を維持することができる。
【００５９】
タッチパネル３から輻射されるノイズを避ける場合、複数のセンスラインＸ０〜Ｘｍ−１毎に行われるスキャンの周期を変えることが有効である。本実施形態では、第１センス信号と第２センス信号とを同時に検出するので、スキャンに割り当てられた時間が増える。これにより、スキャンの周期を変える余裕があるので、ノイズに対する耐性を容易に向上させることができる。
【００６０】
処理回路２０は、第１センス信号を検出する場合に第１センスラインから出力される第２センス信号を遮断する第１アナログフィルタ回路１１０を有する。また、処理回路２０は、第２センス信号を検出する場合に第２センスラインから出力される第１センス信号を遮断する第２アナログフィルタ回路２１０を有する。
【００６１】
これにより、第１センス信号を検出する場合には、第２センス信号が遮断されるので、処理回路２０は、第１センスラインから出力される第１センス信号のみを処理することができる。また、第２センス信号を検出する場合には、第１センス信号が遮断されるので、処理回路２０は、第２センスラインから出力される第２センス信号のみを処理することができる。よって、第１センス信号と第２センス信号とが互いに干渉することがないので、第１指示体の位置、及び第２指示体の位置を同時に検出し、タッチパネルの描画品質を向上させることができる。
【００６２】
処理回路２０は、複数のセンスラインＸ０〜Ｘｍ−１の各々と、第１アナログフィルタ回路１１０及び第２アナログフィルタ回路２１０のうちいずれかと接続する。これにより、処理回路２０は、第１センスライン及び第２センスラインのそれぞれから出力される信号に対して互いに異なる処理を行うことができる。
【００６３】
図３の（ａ）は従来のタッチパネルシステムの検出処理の内容を示す模式図であり、図３の（ｂ）は本発明の一態様に係るタッチパネルシステムの検出処理の内容を示す模式図である。
【００６４】
図３に示すｗ１〜ｗ５は、タッチパネルシステムの検出処理の内容を示すものである。図３の（ａ）に示すｗ１〜ｗ３のように、従来のタッチパネルシステムでは、パッシブタッチの検出とアクティブペンによるタッチの検出とを交互または時間的にずらして行っていた。一方、図３の（ｂ）に示すｗ４及びｗ５のように、本発明の一態様に係るタッチパネルシステムでは、パッシブタッチの検出とアクティブペンによるタッチの検出とを同時に行う。
【００６５】
ｗ４の場合では、タッチパネルシステム１００のように、１つのパッシブタッチと１つのアクティブペンによるタッチとを検出している。ｗ５の場合では、１つのパッシブタッチと２つのアクティブペンによるタッチとを検出している。
【００６６】
ｗ１〜ｗ３の場合のようにパッシブタッチの検出とアクティブペンによるタッチの検出とを交互に行うよりも、ｗ４及びｗ５の場合のようにパッシブタッチの検出とアクティブペンによるタッチの検出とを同時に行う方が、検出の処理を早く終えることができる。
【００６７】
（変形例）
図４は、タッチパネルシステム１００の変形例であるタッチパネルシステムのタッチパネルが有するセンサシート５１０・５２０を示す模式図である。図４の（ａ）は第１指示体用のセンサシート５１０を示す模式図であり、図４の（ｂ）は第２指示体用のセンサシート５２０を示す模式図である。図４の（ｃ）は第１指示体用のセンサシート５１０と第２指示体用のセンサシート５２０とが重なっている状態を示す図であり、図４の（ｄ）は図４の（ｃ）のＡ１で示す部分の拡大図である。
【００６８】
センサシート５１０・５２０にはそれぞれ、複数のセンスライン及び複数のドライブラインが設けられている。具体的には、センサシート５１０には、第１指示体の位置を検出するための第１センスライン及び第１ドライブラインが設けられている。また、センサシート５２０には、第２指示体の位置を検出するための第２センスライン及び第２ドライブラインが設けられている。
【００６９】
タッチパネルシステムのタッチパネルにおいて、センサシート５１０・５２０は互いに重なっていてもよい。また、図４の（ｃ）及び（ｄ）に示すように、センサシート５１０・５２０は、タッチパネルの検出面側から見て、互いにずれていてもよい。これは、タッチパネルシステムのタッチパネルコントローラが備える処理回路が、第１センスライン及び第２センスラインのそれぞれから出力される信号に対して互いに異なる処理を行うからである。これにより、センサシート５１０・５２０は、タッチパネルの検出面側から見て、互いにずれていてもよいので、タッチパネルに２枚のセンサシート５１０・５２０を容易に設けることができる。
【００７０】
〔実施形態２〕
図５は、本発明の実施形態２に係るタッチパネルシステム１００の構成を示す構成図である。なお、説明の便宜上、上記実施形態にて説明した部材と同じ機能を有する部材については、同じ符号を付記し、その説明を繰り返さない。
【００７１】
実施形態２では、実施形態１と比べて、タッチパネルシステムの構成に違いはないが、外部制御部２で設定される設定情報が異なる。また、タッチパネル３に接触する指示体の種類も、実施形態１と異なっている。
【００７２】
図５に示すように、ユーザは、複数のセンスラインＸ０〜Ｘｍ−１のうち、第３センスライン、第４センスライン、及び第５センスラインを特定してもよい。また、ユーザは、複数のドライブラインＹ０〜Ｙｎ−１のうち、第３ドライブライン、第４ドライブライン、及び第５ドライブラインを特定してもよい。ユーザが第３センスライン〜第５センスライン、及び第３ドライブライン〜第５ドライブラインの特定を行うとき、ユーザは外部制御部２を用いてそれらの特定を行う。
【００７３】
第３センスラインとは、タッチパネル３の検出面に接触した状態で静電容量ｃ１と電磁信号を授受する第１指示体（ここではアクティブペンａｐ１）の位置を検出するためのセンスラインである。第４センスラインとは、タッチパネル３の検出面に接触する指ｆ１（第２指示体）の位置を検出するためのセンスラインである。第５センスラインとは、タッチパネル３の検出面に接触するペンｐｐ１（第２指示体）の位置を検出するためのセンスラインである。ペンｐｐ１は、タッチパネル３の検出面に接触する指示体であり、タッチパネル３の検出面に接触した状態で静電容量ｃ１と電磁信号を授受しない指示体である。
【００７４】
また、第３ドライブラインとは、タッチパネル３の検出面に接触した状態で静電容量ｃ１と電磁信号を授受するアクティブペンａｐ１の位置を検出するためのドライブラインである。第４ドライブラインとは、タッチパネル３の検出面に接触する指ｆ１の位置を検出するためのドライブラインである。第５ドライブラインとは、タッチパネル３の検出面に接触するペンｐｐ１の位置を検出するためのドライブラインである。
【００７５】
図６は、図５に示すタッチパネルシステム１００の処理回路２０の構成を示す構成図である。図６に示すように、第３センスラインのセンス信号は、センスライン選択回路３０及び信号選択回路２０ａを介して、第１処理回路２０ｂに送られる。第１処理回路２０ｂでの処理内容は、実施形態１と同様である。
【００７６】
第４センスラインのセンス信号及び第５センスラインのセンス信号は、センスライン選択回路３０及び信号選択回路２０ａを介して、第２処理回路２０ｃに送られる。第２処理回路２０ｃでの処理内容は、実施形態１と同様である。なお、第４センスラインのセンス信号及び第５センスラインのセンス信号は、第２処理回路２０ｃでは、互いに独立して処理される。
【００７７】
このように、タッチパネルシステム１００では、複数のセンスラインＸ０〜Ｘｍ−１のうち、３種類のセンスライン（ここでは、第３センスライン〜第５センスライン）に区分して設定することができる。なお、複数のセンスラインＸ０〜Ｘｍ−１のうち、４種類以上のセンスラインに区分して設定してもよい。これにより、ユーザは、複数のセンスラインＸ０〜Ｘｍ−１のうち、異なる複数の第２指示体を検出するためのセンスラインを自在に設定することができる。また、複数のセンスラインＸ０〜Ｘｍ−１のうち、センスラインの区分を多くしても、それぞれのセンスラインから出力される信号に対して互いに異なる処理が行われるので、タッチパネル３の描画品質を向上させることができる。さらに、タッチパネルシステム１００は、複数のアクティブペンによるタッチ、及び複数のパッシブタッチが発生しても、レポートレートを高く維持したまま処理を行うことができる。
【００７８】
〔実施形態３〕
図７は、本発明の実施形態３に係るタッチパネルシステム１００Ａの構成を示す構成図である。なお、説明の便宜上、上記実施形態にて説明した部材と同じ機能を有する部材については、同じ符号を付記し、その説明を繰り返さない。
【００７９】
タッチパネルシステム１００Ａは、タッチパネルシステム１００と比べて、タッチパネルコントローラ１がタッチパネルコントローラ１Ａに変更されている点が異なる。また、タッチパネルコントローラ１Ａは、タッチパネルコントローラ１と比べて、処理回路２０が処理回路２０Ａに変更されている点が異なる。
【００８０】
また、実施形態３では、実施形態１及び２と比べて、外部制御部２で設定される設定情報が異なる。また、タッチパネル３に接触する指示体の種類も、実施形態１及び２と異なっている。
【００８１】
図７に示すように、ユーザは、複数のセンスラインＸ０〜Ｘｍ−１のうち、第６センスライン、第７センスライン、第８センスライン、及び第９センスラインを特定してもよい。また、ユーザは、複数のドライブラインＹ０〜Ｙｎ−１のうち、第６ドライブライン、第７ドライブライン、第８ドライブライン、及び第９ドライブラインを特定してもよい。ユーザが第６センスライン〜第９センスライン、及び第６ドライブライン〜第９ドライブラインの特定を行うとき、ユーザは外部制御部２を用いてそれらの特定を行う。
【００８２】
実施形態３では、第６センスラインとは、タッチパネル３の検出面に接触した状態で静電容量ｃ１と電磁信号を授受するアクティブペンａｐ１の位置を検出するためのセンスラインである。第７センスラインとは、タッチパネル３の検出面に接触した状態で静電容量ｃ１と電磁信号を授受するアクティブペンａｐ２の位置を検出するためのセンスラインである。
【００８３】
アクティブペンａｐ２は、アクティブペンａｐ１と比べて、自身から送信する電磁信号の周波数が異なる。例えば、アクティブペンａｐ１が、周波数が１ＭＨｚである電磁信号を送信するのに対し、アクティブペンａｐ２が、周波数が５００ｋＨｚである電磁信号を送信する場合等がある。
【００８４】
第８センスラインとは、タッチパネル３の検出面に接触する指ｆ１の位置を検出するためのセンスラインである。第９センスラインとは、タッチパネル３の検出面に接触するペンｐｐ１の位置を検出するためのセンスラインである。
【００８５】
また、第６ドライブラインとは、タッチパネル３の検出面に接触した状態で静電容量ｃ１と電磁信号を授受するアクティブペンａｐ１の位置を検出するためのドライブラインである。第７ドライブラインとは、タッチパネル３の検出面に接触した状態で静電容量ｃ１と電磁信号を授受するアクティブペンａｐ２の位置を検出するためのドライブラインである。
【００８６】
第８ドライブラインとは、タッチパネル３の検出面に接触する指ｆ１の位置を検出するためのドライブラインである。第９ドライブラインとは、タッチパネル３の検出面に接触するペンｐｐ１の位置を検出するためのドライブラインである。
【００８７】
図８は、図７に示すタッチパネルシステム１００Ａの処理回路２０Ａの構成を示す構成図である。図８に示すように、処理回路２０Ａは、処理回路２０と比べて、第３処理回路２０ｄを備えている点が異なる。第３処理回路２０ｄは、第３アナログフィルタ回路３１０、センスアンプ３２０、ＡＤコンバータ３３０、第２アクティブ信号送信回路３４０、第３ディジタルフィルタ回路３５０、第２アクティブ信号受信回路３６０、及び第３制御回路３７０を備えている。
【００８８】
第３処理回路２０ｄにおいて、第３アナログフィルタ回路３１０以外の構成については、第１処理回路２０ｂと同一である。第３アナログフィルタ回路３１０は、信号選択回路２０ａから供給されたセンス信号から、所定の第３周波数領域外の周波数成分を遮断する。所定の第３周波数領域とは、アクティブペンａｐ２の接触によって第７センスラインから出力される第４センス信号の周波数成分を示す周波数領域である。
【００８９】
なお、実施形態３では、第３センス信号は、アクティブペンａｐ１の位置を示すセンス信号であり、第４センス信号は、アクティブペンａｐ２の位置を示すセンス信号である。また、第５センス信号は、指ｆ１の位置を示すセンス信号であり、第６センス信号は、ペンｐｐ１の位置を示すセンス信号である。
【００９０】
したがって、第３アナログフィルタ回路３１０は、アクティブペンａｐ１の接触によって第７センスラインから出力される第３センス信号、及び指ｆ１の接触によって第７センスラインから出力される第５センス信号を遮断する。また、第３アナログフィルタ回路３１０は、ペンｐｐ１の接触によって第７センスラインから出力される第６センス信号、及びノイズ等の不要な周波数成分を遮断する。
【００９１】
また、第３アナログフィルタ回路３１０は、所定の第３周波数領域内の周波数成分である第４センス信号をセンスアンプ３２０に供給する。換言すると、第３アナログフィルタ回路３１０は、信号選択回路２０ａから供給された、アクティブペンａｐ２の接触によって第７センスラインから出力される第４センス信号をセンスアンプ３２０に供給する。第３処理回路２０ｄにおける以降の処理は、第１処理回路２０ｂと同様である。
【００９２】
さらに、第１処理回路２０ｂは、第３センス信号の処理を行う回路であり、第２処理回路２０ｃは、第５センス信号及び第６センス信号の処理を行う回路である。また、第３処理回路２０ｄは、第４センス信号の処理を行う回路である。なお、第５センス信号及び第６センス信号は、第２処理回路２０ｃでは、互いに独立して処理される。
【００９３】
以上により、タッチパネルシステム１００Ａでは、第３センス信号〜第６センス信号がそれぞれ、別々の処理回路によって処理される。これにより、異なる周波数を有する電磁信号を送信するアクティブペンを同時に検出することができる。また、複数のセンスラインＸ０〜Ｘｍ−１のうち、センスラインの区分を多くしても、それぞれのセンスラインから出力される信号に対して互いに異なる処理が行われるので、タッチパネル３の描画品質を向上させることができる。
【００９４】
〔実施形態４〕
図９は、本発明の実施形態４に係るタッチパネルシステムの処理回路２０Ｂの構成を示す構成図である。なお、説明の便宜上、上記実施形態にて説明した部材と同じ機能を有する部材については、同じ符号を付記し、その説明を繰り返さない。
【００９５】
処理回路２０Ｂは、処理回路２０Ａと比べて、第１共振回路２０ｅ（共振回路）及び第２共振回路２０ｆ（共振回路）を備えている点が異なり、信号選択回路２０ａが信号選択回路２０ｇに変更されている点が異なる。第１共振回路２０ｅは、センスライン選択回路３０Ｂを介して、第６センスラインと第１アナログフィルタ回路１１０とを接続する。また、第１共振回路２０ｅは、ドライブライン選択回路４０Ｂを介して、第６ドライブラインと第１アクティブ信号送信回路１４０ａとを接続する。
【００９６】
第１共振回路２０ｅは、アクティブペンａｐ１から送信された電磁信号のキャリア周波数と同一の周波数で共振する。具体的には、例えば、第１共振回路２０ｅの内部のキャパシタの容量値を変更することにより、第１共振回路２０ｅが、アクティブペンａｐ１から送信された電磁信号のキャリア周波数と同一の周波数で共振するようにすることができる。第１共振回路２０ｅの内部のキャパシタの容量値の変更は、外部制御部２の操作により行われ、その操作による信号は、外部制御部２からタッチパネル制御回路１０を介して第１共振回路２０ｅに送信される。
【００９７】
また、第１共振回路２０ｅは、アクティブペンａｐ１から送信された電磁信号のキャリア周波数以外の周波数では共振しなくなるので、周期的なノイズに対する耐性を向上させることができる。これにより、第１アナログフィルタ回路１１０が微小な信号を感度良く受信することができる。例えば、アクティブペンａｐ１が送信する電磁信号の周波数が１ＭＨｚである場合、第１共振回路２０ｅは、アクティブペンａｐ１が送信する電磁信号の周波数と同一の共振周波数１ＭＨｚで共振する。
【００９８】
第２共振回路２０ｆは、センスライン選択回路３０Ｂを介して、第７センスラインと第３アナログフィルタ回路３１０とを接続する。また、第２共振回路２０ｆは、ドライブライン選択回路４０Ｂを介して、第７ドライブラインと第２アクティブ信号送信回路３４０とを接続する。
【００９９】
第２共振回路２０ｆは、アクティブペンａｐ２から送信された電磁信号のキャリア周波数と同一の周波数で共振する。第２共振回路２０ｆは、前述したような第１共振回路２０ｅと同様の性能及び効果を有する。例えば、アクティブペンａｐ２が送信する電磁信号の周波数が５００ｋＨｚである場合、第２共振回路２０ｆは、アクティブペンａｐ２が送信する電磁信号の周波数と同一の共振周波数５００ｋＨｚで共振する。
【０１００】
なお、第１共振回路２０ｅ及び第２共振回路２０ｆは、タッチパネルコントローラ内に設けられていてもよいが、タッチパネルコントローラの外部に存在していてもよい。例えば、第１共振回路２０ｅ及び第２共振回路２０ｆは、タッチパネルコントローラが実装された基板上に設けられていてもよい。
【０１０１】
以上により、処理回路２０Ｂは、アクティブペンａｐ１から送信された電磁信号のキャリア周波数と同一の周波数で共振する第１共振回路２０ｅを有する。また、処理回路２０Ｂは、アクティブペンａｐ２から送信された電磁信号のキャリア周波数と同一の周波数で共振する第２共振回路２０ｆを有する。これにより、例えば、複数のアクティブペンが送信する電磁信号のキャリア周波数に合わせて、共振回路を複数用意することで、異なるキャリア周波数を有する複数のアクティブペンを同時に検出することができる。また、複数のアクティブペンによる電磁信号が互いに干渉することがない。
【０１０２】
〔まとめ〕
本発明の態様１に係るタッチパネルコントローラ１、１Ａは、検出面に沿って互いに平行に設けられる複数のセンスラインＸ０〜Ｘｍ−１と、前記センスラインと交差すると共に前記検出面に沿って互いに平行に設けられる複数のドライブラインＹ０〜Ｙｎ−１と、前記センスラインと前記ドライブラインとの交点にそれぞれ形成された複数の静電容量ｃ１と、を備えるタッチパネル３を制御するタッチパネルコントローラにおいて、前記センスラインのうち、前記検出面に接触した状態で前記静電容量と電磁信号を授受する第１指示体（アクティブペンａｐ１、ａｐ２）の位置を検出するための第１センスライン、及び前記センスラインのうち、前記検出面に、前記第１指示体と同時に接触する第２指示体（指ｆ１、ペンｐｐ１）の位置を検出するための第２センスラインのそれぞれから出力される信号に対して互いに異なる処理を行う処理回路２０、２０Ａ、２０Ｂを備える。
【０１０３】
上記の構成によれば、第１センスライン及び第２センスラインのそれぞれから出力される信号に対して互いに異なる処理が行われる。これにより、第１指示体のタッチと第２指示体のタッチとが同時に発生したとしても、第１指示体の位置と第２指示体の位置とを同時に検出することができる。これは、センサラン上に現れる第１指示体及び第２指示体のタッチによる２種類の信号を同時に検出しても、第１指示体のタッチと第２指示体のタッチによるセンス信号が互いに干渉することがないからである。
【０１０４】
よって、検出面に接触した状態で静電容量と電磁信号を授受する第１指示体の位置、及び検出面に接触する第２指示体の位置を同時に検出し、タッチパネルの描画品質を向上させることができる。
【０１０５】
本発明の態様２に係るタッチパネルコントローラ１、１Ａは、上記態様１において、前記処理回路２０、２０Ａ、２０Ｂは、前記第１センスラインから出力される前記第１指示体（アクティブペンａｐ１、ａｐ２）の位置を示す第１センス信号と、前記第２センスラインから出力される前記第２指示体（指ｆ１、ペンｐｐ１）の位置を示す第２センス信号とを同時に検出してもよい。
【０１０６】
上記構成によれば、処理回路は、第１センスラインから出力される第１指示体の位置を示す第１センス信号と、第２センスラインから出力される第２指示体の位置を示す第２センス信号とを同時に検出する。これにより、レポートレートが上がり、描画時においてタッチパネルの検出面上での検出数が多くなる。つまり、例えば、タッチパネルの検出面上で線を描画する場合、タッチパネルの表示において線が途切れにくくなり、表示の滑らかさを維持することができる。時定数の大きなセンサシートを駆動する場合であっても、レポートレートに余裕があるので、センサシートの時定数に応じてスキャン時間を延ばしてもタッチパネルの描画品質を維持することができる。
【０１０７】
タッチパネルから輻射されるノイズを避ける場合、複数のセンスライン毎に行われるスキャンの周期を変えることが有効である。第１センス信号と第２センス信号とを同時に検出するので、スキャンに割り当てられた時間が増える。これにより、スキャンの周期を変える余裕があるので、ノイズに対する耐性を容易に向上させることができる。
【０１０８】
本発明の態様３に係るタッチパネルコントローラ１、１Ａは、上記態様２において、前記処理回路２０、２０Ａ、２０Ｂは、前記第１センスラインに接続されており、前記第１センスラインから出力される前記第２センス信号を遮断する第１フィルタ回路（第１アナログフィルタ回路１１０、第３アナログフィルタ回路３１０）と、前記第２センスラインに接続されており、前記第２センスラインから出力される前記第１センス信号を遮断する第２フィルタ回路（第２アナログフィルタ回路２１０）とを有してもよい。
【０１０９】
上記の構成によれば、処理回路は、第１センスラインに接続されており、第１センスラインから出力される第２センス信号を遮断する第１フィルタ回路と、第２センスラインに接続されており、第２センスラインから出力される第１センス信号を遮断する第２フィルタ回路とを有する。
【０１１０】
これにより、第１センス信号を検出する場合には、第２センス信号が遮断されるので、処理回路は、第１センスラインから出力される第１センス信号のみを処理することができる。また、第２センス信号を検出する場合には、第１センス信号が遮断されるので、処理回路は、第２センスラインから出力される第２センス信号のみを処理することができる。よって、第１センス信号と第２センス信号とが互いに干渉することがないので、第１指示体の位置、及び第２指示体の位置を同時に検出し、タッチパネルの描画品質を向上させることができる。
【０１１１】
本発明の態様４に係るタッチパネルコントローラ１、１Ａは、上記態様３において、前記処理回路２０、２０Ａ、２０Ｂは、複数の前記センスラインＸ０〜Ｘｍ−１の各々と、前記第１フィルタ回路（第１アナログフィルタ回路１１０、第３アナログフィルタ回路３１０）及び前記第２フィルタ回路（第２アナログフィルタ回路２１０）のうちいずれかとを接続してもよい。
【０１１２】
上記の構成によれば、処理回路は、複数のセンスラインの各々と、第１フィルタ回路及び第２フィルタ回路のうちいずれかとを接続する。これにより、処理回路は、第１センスライン及び第２センスラインのそれぞれから出力される信号に対して互いに異なる処理を行うことができる。よって、第１指示体の位置及び第２指示体の位置を同時に検出し、タッチパネルの描画品質を向上させることができる。
【０１１３】
本発明の態様５に係るタッチパネルコントローラは、上記態様１から４のいずれかにおいて、前記処理回路２０Ｂは、前記第１指示体（アクティブペンａｐ１、ａｐ２）から送信された前記電磁信号のキャリア周波数と同一の周波数で共振する共振回路（第１共振回路２０ｅ、第２共振回路２０ｆ）を有してもよい。
【０１１４】
上記の構成によれば、処理回路は、第１指示体から送信された電磁信号のキャリア周波数と同一の周波数で共振する共振回路を有する。これにより、例えば、複数の第１指示体が送信する電磁信号のキャリア周波数に合わせて、共振回路を複数用意することで、異なるキャリア周波数を有する複数のアクティブペンを同時に検出することができる。また、複数のアクティブペンによる電磁信号が互いに干渉することがない。
【０１１５】
本発明の態様６に係るタッチパネルシステムは、上記態様１から５のいずれかにおいて、タッチパネルコントローラ１、１Ａと、前記タッチパネルコントローラによって制御されるタッチパネル３とを備えてもよい。
【０１１６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１７】
１、１Ａ  タッチパネルコントローラ
２  外部制御部
３  タッチパネル
１０  タッチパネル制御回路
２０、２０Ａ、２０Ｂ  処理回路
２０ａ、２０ｇ  信号選択回路
２０ｂ  第１処理回路
２０ｃ  第２処理回路
２０ｄ  第３処理回路
２０ｅ  第１共振回路（共振回路）
２０ｆ  第２共振回路（共振回路）
３０、３０Ｂ  センスライン選択回路
４０、４０Ｂ  ドライブライン選択回路
１００、１００Ａ  タッチパネルシステム
１１０  第１アナログフィルタ回路（第１フィルタ回路）
１２０、２２０、３２０  センスアンプ
１３０、２４０、３３０  ＡＤコンバータ
１４０  アクティブ信号送信回路
１４０ａ  第１アクティブ信号送信回路
１５０  第１ディジタルフィルタ回路
１６０  アクティブ信号受信回路
１７０  第１制御回路
２１０  第２アナログフィルタ回路（第２フィルタ回路）
２３０  容量検出回路
２５０  ドライバ回路
２６０  第２ディジタルフィルタ回路
２７０  第２制御回路
３１０  第３アナログフィルタ回路
３４０  第２アクティブ信号送信回路
３５０  第３ディジタルフィルタ回路
３６０  第２アクティブ信号受信回路
３７０  第３制御回路
５１０、５２０  センサシート
ａｐ１、ａｐ２  アクティブペン
ｃ１  静電容量
ｆ１  指
Ｘ０〜Ｘｍ−１  センスライン
Ｙ０〜Ｙｎ−１  ドライブライン
ｐｐ１  ペン
【図１】
2019067300.tif 000003
【図２】
2019067300.tif 000004
【図３】
2019067300.tif 000005
【図４】
2019067300.tif 000006
【図５】
2019067300.tif 000007
【図６】
2019067300.tif 000008
【図７】
2019067300.tif 000009
【図８】
2019067300.tif 000010
【図９】
2019067300.tif 000011